【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
画像供給装置とプリンタとが通信し、前記画像供給装置から受信した画像を前記プリンタが印刷するプリントシステムに用いられる画像供給装置であって、
前記画像供給装置およびプリンタに実装されたプロトコルを用いた通信手順により、前記プリンタと通信を行う通信手段と、
前記通信の切断の可否に関する情報を取得する第１取得手段と、
前記プリンタの印刷状態に関する印刷状態情報を取得する第２取得手段と、
前記通信手段での通信内容に応じて、前記通信の切断の可否に関する情報を通知するための切断可否通知機能を、前記プリンタが有しているかを判定する判定手段と、
前記判定手段により、前記プリンタが前記切断可否通知機能を有していると判定した場合には、前記第１取得手段で取得した情報に基づいて前記通信の切断の可否を表示し、前記プリンタが前記切断可否通知機能を有していないと判定した場合には、前記第２取得手段により取得した印刷状態情報に応じて、前記通信の切断の可否を表示する表示手段と、
を有することを特徴とする画像供給装置。
【請求項２】
前記判定手段は、前記プリンタに印刷ジョブを送信する前に前記第１取得手段により取得した情報が、前記通信を切断できない状態であることを示す情報である場合には、前記プリンタは前記切断可能通知機能を有していないと判定することを特徴とする請求項１に記載の画像供給装置。
【請求項３】
前記判定手段が前記プリンタが前記切断可能通知機能を有していないと判定した場合に、前記第２取得手段により取得した印刷状態情報が待機状態を示しているときは、前記表示手段は、前記通信を切断可能である旨を表示することを特徴とする請求項１に記載の画像供給装置。
【請求項４】
前記判定手段が前記プリンタが前記切断可能通知機能を有していないと判定した場合に、前記第２取得手段により取得した印刷状態情報が印刷中を示しているときは、前記表示手段は、前記通信を切断できない旨を表示することを特徴とする請求項１に記載の画像供給装置。
【請求項５】
画像供給装置とプリンタとが通信し、前記画像供給装置から受信した画像を前記プリンタが印刷するプリントシステムに用いられる画像供給装置であって、
前記画像供給装置およびプリンタに実装されたプロトコルを用いた通信手順により、前記プリンタと通信を行う通信手段と、
前記通信の切断の可否に関する情報を取得する第１取得手段と、
前記プリンタの印刷状態に関する印刷状態情報を取得する第２取得手段と、
前記通信の切断が可能であることを示す情報を前記第１取得手段により取得していない場合でも、前記第２取得手段により取得した印刷状態情報が待機状態を示す情報である場合には、前記通信を切断可能である旨を表示する表示手段と、
を有することを特徴とする画像供給装置。
【請求項６】
前記画像供給装置はデジタルカメラであることを特徴とする請求項１又は５に記載の画像供給装置。
【請求項７】
画像供給装置とプリンタとが通信し、前記画像供給装置から受信した画像を前記プリンタが印刷するプリントシステムに用いられる画像供給装置の制御方法であって、
前記画像供給装置およびプリンタに実装されたプロトコルを用いた通信手順により、前記プリンタと通信を行う通信工程と、
前記通信の切断の可否に関する情報を取得する第１取得工程と、
前記プリンタの印刷状態に関する印刷状態情報を取得する第２取得工程と、
前記通信工程での通信内容に応じて、前記通信の切断の可否に関する情報を通知するための切断可否通知機能を、前記プリンタが有しているかを判定する判定工程と、
前記判定工程で前記プリンタが前記切断可否通知機能を有していると判定した場合には、前記第１取得工程で取得した情報に基づいて前記通信の切断の可否を表示し、前記プリンタが前記切断可否通知機能を有していないと判定した場合には、前記第２取得工程で取得した印刷状態情報に応じて、前記通信の切断の可否を表示する表示工程と、
を有することを特徴とする画像供給装置の制御方法。
【請求項８】
前記プリンタに印刷ジョブを送信する前に前記第１取得工程で取得した情報が、前記通信を切断できない状態であることを示す情報である場合は、前記判定工程は前記プリンタは前記切断可能通知機能を有していないと判定することを特徴とする請求項７に記載の画像供給装置の制御方法。
【請求項９】
前記判定工程で前記プリンタが前記切断可能通知機能を有していないと判定された場合に、前記第２取得工程で取得した印刷状態情報が待機状態を示しているときは、前記表示工程は、前記通信を切断可能である旨を表示することを特徴とする請求項７に記載の画像供給装置の制御方法。
【請求項１０】
前記判定工程で前記プリンタが前記切断可能通知機能を有していないと判定された場合に、前記第２取得手段で取得した印刷状態情報が印刷中を示しているときは、前記表示手段は、前記通信を切断できない旨を表示することを特徴とする請求項７に記載の画像供給装置の制御方法。
【請求項１１】
画像供給装置とプリンタとが通信し、前記画像供給装置から受信した画像を前記プリンタが印刷するプリントシステムに用いられる画像供給装置の制御方法であって、
前記画像供給装置およびプリンタに実装されたプロトコルを用いた通信手順により、前記プリンタと通信を行う通信工程と、
前記通信の切断の可否に関する情報を取得する第１取得工程と、
前記プリンタの印刷状態に関する印刷状態情報を取得する第２取得工程と、
前記通信の切断が可能であることを示す情報を前記第１取得工程で取得していない場合でも、前記第２取得工程で取得した印刷状態情報が待機状態を示す情報である場合には、前記通信を切断可能である旨を表示する表示工程と、
を有することを特徴とする画像供給装置の制御方法。
【請求項１２】
前記画像供給装置はデジタルカメラであることを特徴とする請求項７又は１１に記載の画像供給装置の制御方法。
【手続補正２】
【補正対象書類名】明細書
【補正対象項目名】００１０
【補正方法】変更
【補正の内容】
【００１０】
上記目的を達成するために本発明の画像供給装置は以下のような構成を備える。即ち、
画像供給装置とプリンタとが通信し、前記画像供給装置から受信した画像を前記プリンタが印刷するプリントシステムに用いられる画像供給装置であって、
前記画像供給装置およびプリンタに実装されたプロトコルを用いた通信手順により、前記プリンタと通信を行う通信手段と、
前記通信の切断の可否に関する情報を取得する第１取得手段と、
前記プリンタの印刷状態に関する印刷状態情報を取得する第２取得手段と、
前記通信手段での通信内容に応じて、前記通信の切断の可否に関する情報を通知するための切断可否通知機能を、前記プリンタが有しているかを判定する判定手段と、
前記判定手段により、前記プリンタが前記切断可否通知機能を有していると判定した場合には、前記第１取得手段で取得した情報に基づいて前記通信の切断の可否を表示し、前記プリンタが前記切断可否通知機能を有していないと判定した場合には、前記第２取得手段により取得した印刷状態情報に応じて、前記通信の切断の可否を表示する表示手段と、
を有することを特徴とする。
【手続補正３】
【補正対象書類名】明細書
【補正対象項目名】００１２
【補正方法】変更
【補正の内容】
【００１２】
上記目的を達成するために本発明の画像供給装置の制御方法は以下のような工程を備える。即ち、
画像供給装置とプリンタとが通信し、前記画像供給装置から受信した画像を前記プリンタが印刷するプリントシステムに用いられる画像供給装置の制御方法であって、
前記画像供給装置およびプリンタに実装されたプロトコルを用いた通信手順により、前記プリンタと通信を行う通信工程と、
前記通信の切断の可否に関する情報を取得する第１取得工程と、
前記プリンタの印刷状態に関する印刷状態情報を取得する第２取得工程と、
前記通信工程での通信内容に応じて、前記通信の切断の可否に関する情報を通知するための切断可否通知機能を、前記プリンタが有しているかを判定する判定工程と、
前記判定工程で前記プリンタが前記切断可否通知機能を有していると判定した場合には、前記第１取得工程で取得した情報に基づいて前記通信の切断の可否を表示し、前記プリンタが前記切断可否通知機能を有していないと判定した場合には、前記第２取得工程で取得した印刷状態情報に応じて、前記通信の切断の可否を表示する表示工程と、
を有することを特徴とする。